【事件の表示】
　特願２００２−４１１５８「直線キュベット配列、それにより組み立てられた２次元キュベット配列及びそのような２次元キュベット配列を含むシステム」拒絶査定不服審判事件〔平成１４年１１月８日出願公開、特開２００２−３２３５０２〕について、次のとおり審決する。
【結　論】
　本件審判の請求は、成り立たない。
【理　由】
１　手続の経緯・本願発明
　本願は、平成１４年２月１９日（パリ条約による優先権主張　平成１３年２月２０日　欧州特許庁）を出願日とする出願であって、その請求項１ないし１４に係る発明は、平成２２年８月２６日付けの手続補正書により補正された特許請求の範囲の請求項１ないし１４に記載された事項により特定されるとおりのものと認められ、その請求項１に係る発明は次のとおりのものである。
 「【請求項１】　複数のキュベット（１２、１３、１４）が一体に組み立てられたプラスチック材料製の直線キュベット配列（３１、４１）を少なくとも２個と、キュベット（１２、１３、１４）を受け入れるための開口部（３４）のマトリックス配列（３３）を有するキュベットホルダー（３２、４２）とを備える、キュベットシステムであって、
　上記直線キュベット配列（３１、４１）は、配列内のすべてのキュベットが同一の形状及び寸法を有し、隣接するキュベットが単一の腕で相互に連結しており、
　上記キュベット配列（３１、４１）を構成しているすべてのキュベットの対称軸（Ｙ−Ｙ）が、上記キュベット配列（３１、４１）の対称面である同平面と実質的に同一の平面（Ａ−Ａ）内にあり、
　上記キュベット配列の一の端部にある第１のキュベット（１３）と上記キュベット配列の反対側の端部にある第２のキュベット（１４）との間にある中間キュベット（１２）の上部は、上記中間キュベット（１２）の一方の側に隣接するキュベット（１３）に、第１の単一の腕（１５）によって連結し、中間キュベット（１２）の反対側に隣接するキュベット（１４）に、第２の単一の腕（１６）によって連結しており、
　個々の上記単一の腕（１５、１６）が湾曲した形状を有し、
　上記キュベット配列は、各キュベット（１２、１３、１４）が、両チャンバーの中心を通る共通の対称軸Ｙ−Ｙを有する、上部チャンバー（１７）及び下部チャンバー（１８）を有し、
　上記上部チャンバー及び下部チャンバーは、各々実質的に円筒状の形状を有し、上部チャンバー（１７）の中央部における断面は、下部チャンバー（１８）の同断面より大きく、
　上記下部チャンバー（１８）は、開口した下端（２３）を有し、
　上記上部チャンバー（１７）は、開口した上端（２４）と、上記上部チャンバー（１７）を下部チャンバー（１８）に連結している円形の開口部を中央に有する、環状の底面壁（２５）とを有し、
　各々のキュベットホルダー内で同一の相対的位置を占めるキュベットは、それらの対称軸を一致させて上下に正確に位置づけられ、かつ、上側キュベットの下部の一部が下側キュベットの上部チャンバー内にあり、上側キュベット（５１）の下端が、下側キュベット（５２）の上部チャンバーの底面壁（２５）から予め決められた距離にあるように、積み重ねられていることを特徴とする、キュベットシステム。」（以下、「本願発明」という。）
　
２　引用刊行物の記載事項
　当審の拒絶の理由に引用された、本願優先日前に頒布された刊行物１ないし刊行物４には以下の事項がそれぞれ記載されている。下線は当審で付加した。
　
（１）刊行物１：特開平３−９２７６１号公報の記載事項
（1a）「１）少なくとも、
１式のキュベット・マトリックスのためのスペースを有するトレイ
少なくとも１行または１列のキュベット
隣接するキュベット(2)の距離を少し変えることのできる可撓性連結部材(3)によって隣接するキュベットの少なくとも一部を相互に連結し
トレイはキュベット・マトリックスに対応する少なくとも１式のアパーチャ・マトリックスを備えたフレームと、キュベット(2)を定置できる、各キュベット用アパーチャ(8)とを有し
（２）１個またはこれ以上の前記キュベットをマトリックスから一度に取り外せることを
特徴とする、特許請求の範囲第１項記載のキュベット・トレイ装置。
（３）前記可撓性連結部材(3)を折ることによって前記キュベットを取り外すことができることを特徴とする、特許請求の範囲第１項または第２項記載のキュベット・トレイ装置。
（４）前記連結部材が前記キュベットを相互に連結するステム(3)であることを特徴とする、特許請求の範囲第１項ないし第３項記載のキュベット・トレイ装置。
（５）前記ステム(3)はキュベットの列または行の中心線からはなれたキュベットの列または行に沿って配置され、また中心線から異なる距離だけはなれた連続する空間または中心線の反対側に配置されたことを特徴とする、特許請求の範囲第４項記載のキュベット・トレイ装置。
（６）隣接する前記ステム(3)は中心線の反対側にあることを特徴とする、特許請求の範囲第５項のキュベット・トレイ装置。
（７）キュベット(2)の外部表面に突出フランジ部(5)があることを特徴とする、特許請求の範囲第１項ないし第６項記載のキュベット・トレイ装置。
（８）前記クランプ部材はアパーチャの壁上に少なくとも１個の可撓性指状突起を有し、前記指状突起はキュベットをアパーチャの他の壁に押し付けることを特徴とする、特許請求の範囲第１項ないし第７項記載のキュベット・トレイ装置。
（９）前記指状突起(9)は水平方向に可撓的であることを特徴とする、特許請求の範囲第８項記載のキュベット・トレイ装置。
（１０）各キュベットに対し、ただ１個のみの指状突起を備えたことを特徴とする、特許請求の範囲第８項ないし第９項のキュベット・トレイ装置。」（特許請求の範囲）
（1b）「（問題点を解決するための手段および作用）
　この目的を達成するため以下のような構成としている。
キュベット・マトリックスは１列の直列マトリックス
マトリックスの隣接するキュベットの少なくとも一部は可撓性連結部材によって互いに連結され、それによって、キュベットを少なくとも水平方向に、少しだけ移動させることができる
軸状部材をキュベットの列の中心線から少しはなすことによってキュベット列の可撓性を得ることができる
まがった軸状部材をその中心線の間近で使用することも可能である
　必要数のキュベットがマトリックスから簡単に外すことができるように、キュベットは相互に連結されるのが好ましい。前以て連結部材が折れるようにすることにより、取り外すことができるようになる。
　
トレイは少なくともマトリックスの１個のキュベット用には１個のアパーチャを有するフレームによって形成される
　なお、
キュベットは円筒状カップが好ましい
（1c）「（実施例）
　第１ａ図ないし第３ｂ図により、本発明による一実施例について詳細に説明する。なお、この実施例は本発明をマイクロテストプレ−ト（８行ｘ１２列）に応用したものである。
　第１ａ図および第１ｂ図は１列のキュベット・マトリックスｌを図示している。これは
キュベット２を幅の狭いステム３によって相互に連結して形成する
ステム３はキュベット２の上部に固定される。ステム３は、隣り合うもの同士が互いに反対側になるように、キュベット列の中心線からはなれた、キュベット列の側部に配置される
このステム３によって隣接する各キュベット２間の距離を１ｍｍの１／１００または１／１０程度小さくまたは大きくできる
　
キュベット２の内部は円筒形
　
キュベツト２の外部表面上の中央部より少し下の部分に、その下部より広い肩部５を形成
　ステム３は手で折ることができるので、必要数のキュベット２を簡単に取り外すことができる。
　キュベット・マトリックスの両端部には、その上部にフランジ７が設けられており、同様に手で折ることができる。
　第２ａ図および第２ｂ図において、トレイ６には横断面正方形のアパーチャ（孔部）８が８列ｘｌ２行形成されている。アパーチャ８の１辺の長さはキュベット２の下部の最大径よりわずかに短い。アパーチャ８はアルファベット（Ａ−Ｈ）を付した８列と、数字（１−１２）を付した１２行とから形成される。また、アパーチャ８は互いに垂直な隔壁１０を有する方形のフレームによって形成される。
　行（１−１２）と平行な隔壁１０は一体となっており、また剛性を備えている。列（Ａ−Ｈ）と平行な隔壁１０のうち２列目から１列おきの隔壁１０も一体であり、また、剛性を備えている。
　列（Ａ−Ｈ）と平行な隔壁１０のうち１列目から１列おきの隔壁は行（１−１２）の中心線のところで垂直に、しかし隔壁に対して斜めに切り放されており、その切断縁部間に小さな隙間が形成される。このようにして、隔壁１０の列（Ａ−Ｈ）と平行に、指状突起９が形成され、これらはわずかに水平方向にまがっている。この結果、キュベット２は各々のアパーチャ８に押し込められ、このとき、指状突起９はキュベットの中心からはなれるように曲がる。そして、キュベット２は指状突起９の摩擦作用によってアパーチャにしっかりと保持される。
　キュベット２の外部表面上の肩部５は剛性隔壁１０の上縁部に係止される。また、フレームは肩部５に対応する肘部をトレイの側部に具備する。
　各行（１−１２）の図面上右端部に対応するトレイの側部上にピン１１が立設される。また、キュベット・マトリックスの頭部フランジ７にはピンｌ１が嵌合する孔が形成されており、キュベット・マトリックスは常にトレイ上にしっかりと保持されるものである。
　トレイの下端部は、トレイにセットされたキュベットの底部より下に延出している。さらにトレイのコーナ部にはトレイを簡単に重ねることができるように舌片を具備している。」（第３頁右上欄９行〜第４頁左上欄２０行）
（1d）「（発明の効果）
　本発明は、以上の説明から明らかなように、単純な構造で、任意の数のキュベットをトレイから簡単に一度で取り外すことができるとともに、再度トレイに容易にセットすることができ、また、キュベットをトレイのアパーチャにしっかりと保持することができる。」（第４頁右上欄１行〜７行）
（1e）第１ａ図、第１ｂ図には、それぞれ肩部(5)を有する８個のキュベット(2)が、中心線に対称的に配置され、可撓性連結部材であるステム(3)により連結され、両端にフランジ(7)を有するキュベット・マトリックス(1)が図示されている。（第５頁第１ａ図、第１ｂ図）また、第２ａ図、第２ｂ図には、キュベット・マトリックス用のトレイが、第３ａ図、第３ｂ図には、キュベットをトレイにセットした状態が図示されている。（第５頁第１ａ図、第１ｂ図、第２ａ図、第２ｂ図、第６頁第３ａ図、第３ｂ図）
　
（２）刊行物２：特開平２−１４９３２１号公報の記載事項
（2a）「１．上端部及び底端部にて開放し、その軸心が相互に平行となるように真直ぐに一列に配設された略円筒状の複数のウェルであって、
相互に極く隣接するが接触しないよう前記ウェルを離間させる脆弱なウェブにより連結された前記複数のウェル
　各ウェルの底端部を閉じる、相互に離間された個別のフィルタ膜と、を備えることを特徴とするフィルタストリップ。
・・・
４．基部及び取り外し可能なカバーを有する真空マニホルドと、
該真空マニホルド内の室と、
該室と連通し、該室に減圧された圧力を作用させるマニホルドの通路と、
ストリップの各ウェルの底部を閉じるフィルタ膜を有するマルチウェルフィルタストリップと、フィルタストリップを支持するためにカバーの外側に形成された手段と、
フィルタストリップの各膜を前記室と連通するように定置させることにより、該室に加えられた減圧が前記ウェル内の液体を膜を通じて前記室内に吸引するように、前記カバーに形成された穴と、を備えることを特徴とするフィルタ組立体。
５．カバー上に設けられた前記手段が、各々、外面に形成されてフィルタストリップの１つのウェルの底部端を受け入れる個々の複数の凹所を備え、
カバーの前記穴が、各凹所の底部から前記室内に伸長することを特徴とする請求項４記載のフィルタ組立体。
６．カバーに設けられた手段が、膜を通って各ウェルから室に流動するろ液間の混合を防止することを特徴とする請求項４記載のフィルタ組立体。
７．第２マルチウェルストリップを支持する手段が、前記室内に設けられることにより、第２ストリップ内の各ウェルが、フィルタストリップ内の別個のウェルからろ液を受け取ることを特徴とする請求項６記載のフィルタ組立体。
８．各凹所が、中央部分にて漏斗状をし、平坦なショルダ部分により包囲された底部壁を有し、マルチウェルフィルタストリップのウェル前記凹所内に取り付けられたとき、各凹所の平坦なショルダ部分が、各ウェルの底部に対してシールを形成するようにしたことを特徴とする請求項５記載のフィルタ組立体。（請求項１、４〜８）
（2b）「［従来の技術］
　微孔性メンブランフィルタを利用する２つの基本的な分析方法が公知である。その第１は単純に微孔性膜を用いて分析のための小さな粒子を採取する方法であって、例えば、酢酸セルロース膜上に三塩化酢酸化蛋白質の沈澱物を採取する方法である。その第２は、第１の物質をフィルタに固定し、フィルタに反応物質を加えて上記物質と反応させる方法であって、例えば、一本鎖のＲＮＡ又はＤＮＡをニトロセルロース膜上に固定し、核酸の交雑を行うといった、フィルタをより能動的に使用する方法である。Ｊｏｕｒｎａｌ　ｏｆ　ＭｏｌｅｃｕｌａｒＢｉｏｌｏｇｙ，１２：　８２９−８４２（１９６５）のＧｉｌｌｅｓｐｉｅ，Ｄ．及びＳｐｉｅｌｇｅｌｍａｎ，Ｓ．の論文を参照すると良い。」（第３頁右上欄５行〜１８行）
（2c）「
各ウェル２０の開放した底部２４は、透過性の膜３４により閉じられる
各ウェルの底部２４を閉じる膜３４は、ヒートシール、超音波溶接、又は溶剤すなわち接着剤により、円筒状の壁２６の底面に取り付ける
（2d）「又、操作時、該ストリップに対して故意に力を加えない限り、ストリップが湾曲あるいは屈曲したり又は撓わむことかない。１列全体のウェルより少数のウェルを使用することが望ましい場合には、個々のウェル又は２〜３のウェルをストリップから破断することが出来る。」（第６頁左上欄１１行〜１７行）
（2e）「第１０図乃至第１３図に別個に図示された
トランスファープレート１２０
漏斗状の底部壁１３３
下方向に伸長するノズル１３４
ウェル１４０の開放した頂部１３８と整合可能となるような外径
ノズル１３４は開放したウェル１４０に嵌まり、ウェル１４０内に蓄積したガスを排出することが出来る僅かな空隙を形成する
ノズル１３４は、トランスファープレートの下面１４２から下方向に伸長し、閉じた底部を有するウェル１４０内に入り、プレート１２２にて１つのウェルから別のウェルにかけて液が汚染されないようにする
（2f）「第１４図乃至第１５図には、本発明のさらに別の実施例が図示されており、この場合、圧力マニホルドは、８−ウェルフィルタストリップ及び閉じた底部を有する８−ウェルストリップを収容している。この圧力マニホルドは、基部２００と、トランスファープレート２０１と、１対の外側垂直ポスト２０３により
垂直状態に積み重ねられ
トランスファープレートの上方及び下方にて、それぞれ、フィルタストリップ１８及び閉じた底部を有するストリップ７６を容易に装填し
ろ過中
各構成要素を閉じた位置に保持する
　
（３）刊行物３：特開平６−２０７９３４号公報の記載事項）
（3a）「【特許請求の範囲】
【請求項１】２個又はそれより多い相互に連結しているキュベットにより形成されている少なくとも一つの列からなり、その列からキュベット用の開口部を持つスタンド中に置かれるための一つのキュベットを取り外すことができるキュベットマトリックスであって；キュベットの外側表面上に、キュベット列の縦方向から一定の角度で
支持部材（１０）があり、そして該部材がキュベットが開口部の側面に密着する
（3b）「【０００８】本発明に従ったキュベットマトリックスは１列又はそれより多いキュベット列からなり、そしてそのキュベットは、１個又はそれより多い使用するキュベットを、所望の場合、一度に取外すことが可能であるように連結されている。
キュベットマトリックスは、その目的に適したポリスチレンのようなある種のプラスチックから製造されているのが好ましい
（3c）「【００１０】キュベットは好ましくはその外表面が下方に僅かに先細になっていてそれによりスタンド中の位置付けがより容易である。
外表面上では、スタンドに関して或る高さでキュベットの位置付けを容易にする拡張部
【００１１】各々の
キュベットは、その外表面上に支持部材を持ち、それはキュベットを回転する際、キュベットを開口部に対してより厳密にすら固定する
【００１２】好ましくは支持部材は、キュベットの表面上の拡張部である。
拡張部は垂直の平面であるのが最も良く、それは、キュベットを回転した時、スタンドの開口部の垂直壁に対して着実に位置する
【００１３】
好ましくはスタンドの開口部は更に弾力性の圧縮部材も持っていてよく、それはキュベットを所定位置に保持する
　
（４）刊行物４：特開昭５９−３５１４１号公報の記載事項）
（4a）「サンプル容器１４は円形の横断面形状を有し、この
容器内へのサンプルの注入に便利なように大径となされた入口部３４
入口部３４から垂下されたこれより小径の胴部３６
入口部３４は、水平面に対して約４５°内方にに傾斜した斜面４０を介して胴部３６の内壁面に接続されている
　
３　対比・判断
　刊行物１の上記記載事項から、刊行物１には、
　「少なくとも１列の直列マトリックスによって形成されるキュベット・マトリックスであって、隣接する同一の形状及び寸法のキュベットは可撓性連結部材によって互いに連結され、それによって、キュベットを少なくとも水平方向に少しだけ移動させ、キュベット間の距離を小さく又は大きくでき、連結部材はキュベットの上部に配置され、キュベットの列の中心線の反対側に少しはなすことによってキュベット列の可撓性を得ることができるキュベット・マトリックスと、
　キュベット・マトリックスに対応する少なくとも１式のアパーチャ・マトリックスを備えたフレームと、キュベットを定置できる各キュベット用アパーチャとを有し、前記アパーチャは、摩擦作用によってキュベットをアパーチャに保持する可撓性クランプ部材を具備するトレイと、を備えたキュベット・トレイ装置」の発明（以下、「刊行物１発明」という。）が記載されていると認められる。
　
　そこで、本願発明と刊行物１発明とを比較する。
（ア）刊行物１発明の「１列の直列マトリックスによって形成されるキュベット・マトリックス」と、本願発明の「複数のキュベット（１２、１３、１４）が一体に組み立てられたプラスチック材料製の直線キュベット配列（３１、４１）」とは、複数のキュベットが一体に組み立てられた直線キュベット配列である点で共通している。
（イ）刊行物１発明の「可撓性連結部材」は、第１ｂ図からみて、連続する３個のキュベットがそれぞれ隣接するキュベットと、キュベットの上部にある一つの連結部材で連結されているから、本願発明の「第１の単一の腕」及び「第２の単一の腕」に相当する。
（ウ）刊行物１発明は、第１ａ図、第１ｂ図からみて、キュベットの列を構成するすべてのキュベットの対称軸は、キュベットの列の対称面と実質的に同一の平面内にあるといえる。
（エ）刊行物１発明の「キュベット・マトリックスに対応する少なくとも１式のアパーチャ・マトリックスを備えたフレームと、キュベットを定置できる各キュベット用アパーチャとを有し、前記アパーチャは、摩擦作用によってキュベットをアパーチャに保持する可撓性クランプ部材を具備するトレイ」は、本願発明の「キュベット（１２、１３、１４）を受け入れるための開口部（３４）のマトリックス配列（３３）を有するキュベットホルダー（３２、４２）」に相当する。
（オ）刊行物１発明の「キュベット・トレイ装置」は、本願発明の「キュベットシステム」に相当する。
　
　したがって、両者の間には、以下の一致点及び相違点がある。
（一致点）
　複数のキュベットが一体に組み立てられた直線キュベット配列を少なくとも２個と、キュベットを受け入れるための開口部のマトリックス配列を有するキュベットホルダーとを備える、キュベットシステムであって、
　上記直線キュベット配列は、配列内のすべてのキュベットが同一の形状及び寸法を有し、隣接するキュベットが単一の腕で相互に連結しており、
　上記キュベット配列を構成しているすべてのキュベットの対称軸（Ｙ−Ｙ）が、上記キュベット配列の対称面である同平面と実質的に同一の平面（Ａ−Ａ）内にあり、
　上記キュベット配列の一の端部にある第１のキュベットと上記キュベット配列の反対側の端部にある第２のキュベットとの間にある中間キュベットの上部は、上記中間キュベットの一方の側に隣接するキュベットに、第１の単一の腕によって連結し、中間キュベットの反対側に隣接するキュベットに、第２の単一の腕によって連結しているキュベットシステムである点。
　
（相違点１）
　直線キュベット配列が、請求項１発明では、プラスチック材料製であるのに対して、刊行物１発明では、その材質を特定していない点。
　
（相違点２）
　請求項１発明は、個々の単一の腕が湾曲した形状を有しているのに対して、刊行物１発明では、可撓性連結部材の形状を規定していない点。
　
（相違点３）
　直線キュベット配列が、本願発明では、各キュベットが、両チャンバーの中心を通る共通の対称軸Ｙ−Ｙを有する、上部チャンバー及び下部チャンバーを有し、上記上部チャンバー及び下部チャンバーは、各々実質的に円筒状の形状を有し、上部チャンバーの中央部における断面は、下部チャンバーの同断面より大きく、上記下部チャンバーは、開口した下端を有し、上記上部チャンバーは、開口した上端と、上記上部チャンバーを下部チャンバーに連結している円形の開口部を中央に有する、環状の底面壁とを有し、各々のキュベットホルダー内で同一の相対的位置を占めるキュベットは、それらの対称軸を一致させて上下に正確に位置づけられ、かつ、上側キュベットの下部の一部が下側キュベットの上部チャンバー内にあり、上側キュベットの下端が、下側キュベットの上部チャンバーの底面壁から予め決められた距離にあるように、積み重ねられているのに対して、
　刊行物１発明では、各キュベットは、上記のような上部チャンバーと下部チャンバーに分かれておらず、上下に積み重ねられていない点。
　
　そこで、上記各相違点について検討する。
（相違点１について）
　キュベットの材質をプラスチック材料とすることは、例えば、刊行物３（上記(3b)）にも記載されるように本願優先日前の周知慣用技術であり、刊行物１発明において、キュベット・マトリックスの材質をプラスチック材料とすることに何ら困難性はない。
　
（相違点２について）
　刊行物１（上記(1b)）には、「まがった軸状部材をその中心線の間近で使用することも可能である」と記載され、可撓性連結部材をまがった軸状部材とすることにより中心線付近に軸状部材が存在しても可撓性が得られることが示唆されているから、刊行物１発明において、可撓性連結部材を湾曲した形状とすることは、刊行物１の記載事項から当業者が適宜になし得るこである。
　
（相違点３について）
　刊行物２（上記(2e)）には、下端部を開口とし、開口部にフィルタ膜を取り付けた複数のウエル(20)を、ウエブ(28)で連結し真直ぐに一列に配設したウエルフィルタストリップを、トランスファープレートを介して、底部を有するウエルストリップ上に重ね合わせ、上下の各ウエルの軸が一致するように位置づけること、トランスファープレートが漏斗状の底部壁(133)と下方に伸長するノズル(134)を有し、ノズルが下側のウエルストリップのウエル内に入るようにして、液を対応するウェル内に誘導し汚染が防止されるようにしたものが記載されている。
　そして、分析容器に試料が受け入れ易くするために上方の断面積を大きくした分析容器の形状として、刊行物４に、断面積の大きい円筒状の上部チャンバーの底面壁を介して、断面積の小さい円筒状の下部チャンバーを連結したものが記載され、上部の断面積を下部の断面積より大きくした分析容器は、本願優先日前に周知であるといえるところ、上下に重ねて使用する容器配列においても、刊行物２記載のトランスファープレートのようなものを用いないでも液がこぼれずに下側の容器に誘導されるように、容器下部の断面積を小さくし、小径の下端部を下側の容器の上端部に突き出させて配置することは、特開平４−２２７８６０号公報（当審における拒絶理由で、積み重ねた態様を含む請求項１４について提示した周知例であり、拒絶の査定の理由で引用された引用文献３でもある）に、試験トレイの各室(3)が、下方部分(6)は円筒形で、上方部分(7)が下方にテーパー状となった円錐台形であること（【００１２】、【図２】、【図３】）、試験トレイ(1)の各室(3)の下部の栓(12)が、収集トレイ(72)のウエル(16)の開口部に収容されるように、上下に重ね合わせることで、漏れや汚染を生じないこと（【０００６】）が記載され、国際公開第９８／５７７４６号（対応日本公報　特表２００２−５０６３８６号公報）には、図７、８に上部と下部のフィルタ保持部材Ｆ１、Ｆ２がそれぞれ、小径の出口端部と大径の上部パイプ領域で形成された実験装置であり、上部フィルタ保持部材Ｆ１の、小径の出口端部(82)が、下部フィルタ保持部材Ｆ２の上部パイプ領域中に突き出ること（図７、８、１、第１０頁図１の説明、第１５〜１６頁図７、８の説明）が記載されているように、本願優先日前に周知の技術といえる。
　そうすると、刊行物１発明のキュベットを、刊行物２に記載されるように、上下に重ねて使用することを考え、キュベットの底部を開口として、トランスファープレートのような部材を用いることなく、こぼれることなく上側及び下側の分析容器に試料が受け入れられるように、上記周知技術を勘案して、キュベットの形状と上下重ね合わせ状態について、上部チャンバー及び下部チャンバーを有し、上部チャンバー及び下部チャンバーは、各々実質的に円筒状の形状を有し、上部チャンバーの中央部における断面は、下部チャンバーの同断面より大きく、上部チャンバーは、開口した上端と、上記上部チャンバーを下部チャンバーに連結している円形の開口部を中央に有する、環状の底面壁とを有するようにして、上側キュベットの下部の一部が下側キュベットの上部チャンバー内にあり、上側キュベットの下端が、下側キュベットの上部チャンバーの底面壁から予め決められた距離にあるように、積み重ねることは、当業者が容易になし得たものといえる。
　
（本願発明の効果について）
　分析試料を最適な方法で、所望の高処理量スクリーニングを達成できる等の本願発明の効果は、刊行物１ないし４の記載事項及び周知技術から予測し得たものであり、格別顕著なものとはいえない。
　
４　むすび
　以上のとおり、本願請求項１に係る発明は、刊行物１ないし４に記載された発明及び周知技術に基づいて当業者が容易に発明をすることができたものであるから、特許法第２９条第２項の規定により特許を受けることができない。
　したがって、その他の請求項に係る発明についての判断を示すまでもなく、本願は拒絶すべきものである。
　よって、結論のとおり審決する。